(57)【特許請求の範囲】
【請求項１】
画像を表示する表示手段と、
順番に並べられた複数コマの複数画像から、所定のコマ範囲を抽出範囲として、そのコマ範囲の先頭及び後尾の画像を含むとともに各々の間に所定のコマ間隔が確保された規定数の代表画像を抽出する第１の抽出手段と、
この第１の抽出手段により抽出された規定数の代表画像を前記表示手段の表示画面上に第１の方向に並べて表示させる第１の表示制御手段と、
前記複数画像から、前記第１の表示制御手段により前記表示画面上に第１の方向に並べて表示されている規定数の代表画像のうちで選択操作により選択された任意の代表画像と当該代表画像に隣接する他の代表画像との間におけるコマ位置が連続した規定数の詳細画像を抽出する第２の抽出手段と、
この第２の抽出手段により抽出された規定数の詳細画像を、前記規定数の代表画像と共に前記表示手段の表示画面上に前記第１の方向とは異なる第２の方向に並べて表示させる第２の表示制御手段と
を備えたことを特徴とする画像表示装置。
【請求項２】
前記第１の表示制御手段により前記表示画面上に表示されている規定数の代表画像、及び前記第２の表示制御手段により前記表示画面上に表示されている規定数の詳細画像の中から選択操作によって選択された画像を、前記規定数の代表画像及び前記規定数の詳細画像と共に前記表示画面上に拡大表示させる第３の表示制御手段を備えたことを特徴とする請求項１に記載の画像表示装置。
【請求項３】
前記第１の抽出手段による規定数の抽出画像の抽出範囲を、前記表示制御手段で表示させた前記規定数の抽出画像中から画像選択操作により２つの画像を選択することにより、その２つの選択画像間の各画像を新たな抽出範囲に変更して前記新たな抽出範囲から規定数の画像を前記第１の抽出手段に抽出させる抽出範囲変更手段を備えたことを特徴とする請求項２に記載の画像表示装置。
【請求項４】
前記表示手段の表示画面上に、前記第３の表示制御手段により拡大表示されている画像の前記複数画像におけるコマ位置を示す位置表示バーを表示させる第４の表示制御手段を備えたことを特徴とする請求項２又は３に記載の画像表示装置。
【請求項５】
被写体を撮像する撮像手段と、
この撮像手段により撮像された被写体の連続画像である複数画像を記録する画像記録手段と
を備え、
前記第１の抽出手段は、前記画像記録手段に記録されている前記複数画像から前記規定数の代表画像を抽出することを特徴とする請求項１乃至４のいずれか一項に記載の画像表示装置。
【請求項６】
画像を表示する表示手段を備えた画像表示装置が有すコンピュータに実行させる画像表示方法であって、
順番に並べられた複数コマの複数画像から、所定のコマ範囲を抽出範囲として、そのコマ範囲の先頭及び後尾の画像を含むとともに各々の間に所定のコマ間隔が確保された規定数の代表画像を抽出し、抽出した規定数の代表画像を前記表示手段の表示画面上に第１の方向に並べて表示する第１の工程と、
前記複数画像から、前記第１の工程で表示画面上に第１の方向に並べて表示した規定数の代表画像のうちで選択操作により選択された任意の代表画像と当該代表画像に隣接する他の代表画像との間におけるコマ位置が連続した規定数の詳細画像を抽出し、抽出した規定数の詳細画像を、前記規定数の代表画像と共に前記表示手段の表示画面上に前記第１の方向とは異なる第２の方向に並べて表示する第２の工程と
を含むことを特徴とする画像表示方法。
【請求項７】
画像を表示する表示手段を備えた画像表示装置が有すコンピュータを、
順番に並べられた複数コマの複数画像から、所定のコマ範囲を抽出範囲として、そのコマ範囲の先頭及び後尾の画像を含むとともに各々の間に所定のコマ間隔が確保された規定数の代表画像を抽出する第１の抽出手段と、
この第１の抽出手段により抽出された規定数の代表画像を前記表示手段の表示画面上に第１の方向に並べて表示させる第１の表示制御手段と、
前記複数画像から、前記第１の表示制御手段により前記表示画面上に第１の方向に並べて表示されている規定数の代表画像のうちで選択操作により選択された任意の代表画像と当該代表画像に隣接する他の代表画像との間におけるコマ位置が連続した規定数の詳細画像を抽出する第２の抽出手段と、
この第２の抽出手段により抽出された規定数の詳細画像を、前記規定数の代表画像と共に前記表示手段の表示画面上に前記第１の方向とは異なる第２の方向に並べて表示させる第２の表示制御手段と
して機能させるプログラム。
【発明の詳細な説明】
【技術分野】
【０００１】
本発明は、複数の画像から所望の画像を検索して表示する画像表示装置、及びその画像表示方法に関するものである。
【背景技術】
【０００２】
従来、時間軸に沿って連続する複数の静止画（以下、単に画像という。）からなる動画の再生に際して、所定間隔毎の静止画をビデオインデックスとして動画と同時に画面表示させることにより、再生中の動画について時間の流れと過去や未来の時間軸方向の状況を容易に把握できるようにする画像表示方法が、下記特許文献１等に記載されている。
【先行技術文献】
【特許文献】
【０００３】
【特許文献１】特願平５−２８９６５０号公報
【発明の概要】
【発明が解決しようとする課題】
【０００４】
上記画像表示方法は、動画の再生途中に早送りや巻き戻しといった時間軸方向の再生操作を行う場合においては有効であるが、例えばデジタルカメラ等において連続撮影された多量（数十枚）の画像からなる連写画像（連続画像）の中から所望の画像を探す場合には、仮に上述した画像表示方法を用いたとしても、意図する画像、たとえば時間軸上で任意の位置にある任意の画像を容易に探し出すことはできないという問題があった。
【０００５】
本発明は、かかる従来の課題に鑑みてなされたものであり、複数画像の中から意図する画像を容易に探し出すことが可能となる画像表示装置、及び画像表示方法と、それらの実現に使用されるプログラムを提供することを目的とする。
【課題を解決するための手段】
【００１６】
前記課題を解決するため、請求項１の発明にあっては、画像を表示する表示手段と、順番に並べられた複数コマの複数画像から、所定のコマ範囲を抽出範囲として、そのコマ範囲の先頭及び後尾の画像を含むとともに各々の間に所定のコマ間隔が確保された規定数の代表画像を抽出する第１の抽出手段と、この第１の抽出手段により抽出された規定数の代表画像を前記表示手段の表示画面上に第１の方向に並べて表示させる第１の表示制御手段と、前記複数画像から、前記第１の表示制御手段により前記表示画面上に第１の方向に並べて表示されている規定数の代表画像のうちで選択操作により選択された任意の代表画像と当該代表画像に隣接する他の代表画像との間におけるコマ位置が連続した規定数の詳細画像を抽出する第２の抽出手段と、この第２の抽出手段により抽出された規定数の詳細画像を、前記規定数の代表画像と共に前記表示手段の表示画面上に前記第１の方向とは異なる第２の方向に並べて表示させる第２の表示制御手段とを備えたものとした。
【００１７】
また、請求項２の発明にあっては、前記第１の表示制御手段により前記表示画面上に表示されている規定数の代表画像、及び前記第２の表示制御手段により前記表示画面上に表示されている規定数の詳細画像の中から選択操作によって選択された画像を、前記規定数の代表画像及び前記規定数の詳細画像と共に前記表示画面上に拡大表示させる第３の表示制御手段を備えたものとした。
【００１８】
また、請求項３の発明にあっては、前記第１の抽出手段による規定数の抽出画像の抽出範囲を、前記表示制御手段で表示させた前記規定数の抽出画像中から画像選択操作により２つの画像を選択することにより、その２つの選択画像間の各画像を新たな抽出範囲に変更して前記新たな抽出範囲から規定数の画像を前記第１の抽出手段に抽出させる抽出範囲変更手段を備えたものとした。
【００１９】
また、請求項４の発明にあっては、前記表示手段の表示画面上に、前記第３の表示制御手段により拡大表示されている画像の前記複数画像におけるコマ位置を示す位置表示バーを表示させる第４の表示制御手段を備えたものとした。
【００２０】
また、請求項５の発明にあっては、被写体を撮像する撮像手段と、この撮像手段により撮像された被写体の連続画像である複数画像を記録する画像記録手段とを備え、前記第１の抽出手段は、前記画像記録手段に記録されている前記複数画像から前記規定数の代表画像を抽出するものとした。
【００２１】
また、請求項６の発明にあっては、画像を表示する表示手段を備えた画像表示装置が有すコンピュータに実行させる画像表示方法であって、順番に並べられた複数コマの複数画像から、所定のコマ範囲を抽出範囲として、そのコマ範囲の先頭及び後尾の画像を含むとともに各々の間に所定のコマ間隔が確保された規定数の代表画像を抽出し、抽出した規定数の代表画像を前記表示手段の表示画面上に第１の方向に並べて表示する第１の工程と、前記複数画像から、前記第１の工程で表示画面上に第１の方向に並べて表示した規定数の代表画像のうちで選択操作により選択された任意の代表画像と当該代表画像に隣接する他の代表画像との間におけるコマ位置が連続した規定数の詳細画像を抽出し、抽出した規定数の詳細画像を、前記規定数の代表画像と共に前記表示手段の表示画面上に前記第１の方向とは異なる第２の方向に並べて表示する第２の工程とを含む方法とした。
【００２２】
また、請求項７の発明にあっては、画像を表示する表示手段を備えた画像表示装置が有すコンピュータを、順番に並べられた複数コマの複数画像から、所定のコマ範囲を抽出範囲として、そのコマ範囲の先頭及び後尾の画像を含むとともに各々の間に所定のコマ間隔が確保された規定数の代表画像を抽出する第１の抽出手段と、この第１の抽出手段により抽出された規定数の代表画像を前記表示手段の表示画面上に第１の方向に並べて表示させる第１の表示制御手段と、前記複数画像から、前記第１の表示制御手段により前記表示画面上に第１の方向に並べて表示されている規定数の代表画像のうちで選択操作により選択された任意の代表画像と当該代表画像に隣接する他の代表画像との間におけるコマ位置が連続した規定数の詳細画像を抽出する第２の抽出手段と、この第２の抽出手段により抽出された規定数の詳細画像を、前記規定数の代表画像と共に前記表示手段の表示画面上に前記第１の方向とは異なる第２の方向に並べて表示させる第２の表示制御手段として機能させるプログラムとした。
【発明の効果】
【００２３】
本発明によれば、複数画像の中から意図する画像を容易に探し出すことが可能となる。
【図面の簡単な説明】
【００２４】
【図１】本発明の各実施形態に共通するデジタルカメラのブロック図である。
【図２】第１の実施形態におけるデジタルカメラの動作を示すフローチャートである。
【図３】図２に続くフローチャートである。
【図４】同実施形態で表示される検索画面の一例を示す図である。
【図５】同検索画面における選択カーソルの動きを示した図である。
【図６】同検索画面における表示内容の変化を例示した図である。
【図７】同検索画面と画像拡大画面との関係を示した図である。
【図８】第２の実施形態におけるデジタルカメラの動作を示すフローチャートである。
【図９】同実施形態で表示される検索画面、及びその変化を示す図である。
【図１０】第３の実施形態におけるデジタルカメラの動作を示すフローチャートである。
【図１１】同実施形態で表示される検索画面、及びその変化を示す図である。
【図１２】各実施形態に共通する位置表示バーの変形例を示した図である。
【発明を実施するための形態】
【００２５】
以下、本発明の実施の形態を図にしたがって説明する。
【００２６】
（実施形態１）
図１は、各実施形態に共通するデジタルカメラ１の電気的構成の概略を示したブロック図である。なお、このデジタルカメラ１は、ＡＥ（自動露出）、ＡＦ（オートフォーカス）等の一般的な機能を備えている。また、基本モードとして、静止画撮影及び動画撮影を行うための撮影モードと、撮影モードで記録した静止画像や動画像を再生するための再生モードを有するとともに、撮影モードにおいて、シャッターキーが押されている間に静止画像を、高速（数枚／秒）で連続撮影し、記録する高速連写機能を備えている。
【００２７】
以下説明すると、基本モードである撮影モードにおいては、モータ（Ｍ）１１の駆動によりレンズ光学系１２の合焦位置や絞り位置が移動される。このレンズ光学系１２の撮影光軸後方には、撮像素子であるＣＣＤ１３が配置される。
【００２８】
このＣＣＤ１３は、例えばＲＧＢの原色系のカラーフィルタを形成しており、タイミング発生器（ＴＧ）１４、垂直ドライバ１５によって走査駆動されるもので、一定周期毎に結像した光像に対応する光電変換出力を１画面分出力する。
【００２９】
この光電変換出力は、アナログ値の信号の状態でＲＧＢの原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理、γ補正処理、及びマトリックス演算を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ１９に出力される。
【００３０】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書き込みイネーブル信号、及びクロック信号を用いて一度ＤＭＡコントローラ１９内部のバッファに書き込み、ＤＲＡＭインタフェース（Ｉ／Ｆ）２０を介してバッファメモリとして使用されるＤＲＡＭ２１にＤＭＡ転送を行う。
【００３１】
制御部２２は、ＣＰＵと、ＣＰＵで実行される各種の動作プログラムを固定的に記憶したＲＯＭ、及びワークメモリとして使用されるＲＡＭ等により構成され、デジタルカメラ１全体を制御する。本実施形態において、上記ＲＯＭには、後述する再生モードの下位モードである検索表示モードが設定されているときＣＰＵに後述する処理を行わせることによりＣＰＵを本発明の抽出手段、表示制御手段、抽出範囲変更手段として機能させるための動作プログラムが記憶されている。
【００３２】
制御部２２は、上記輝度及び色差信号のＤＲＡＭ２１へのＤＭＡ転送終了後に、この輝度及び色差信号をＤＲＡＭインタフェース２０を介してＤＲＡＭ２１より読み出し、ＶＲＡＭコントローラ２３を介してＶＲＡＭ２４に書き込む。
【００３３】
デジタルビデオエンコーダ２５は、上記輝度及び色差信号をＶＲＡＭコントローラ２３を介してＶＲＡＭ２４より定期的に読み出し、これらのデータを元にビデオ信号を発生して表示部２６に出力する。
【００３４】
表示部２６は、デジタルカメラ１の図示しない本体の背面に配置されている液晶表示器、及びその駆動回路から構成され、デジタルビデオエンコーダ２５からのビデオ信号に基づいた画像表示を行う。そして、撮影モード時には、その時点でＶＲＡＭコントローラ２３から取り込んでいる画像情報に基づく画像をスルー画像としてリアルタイムに表示することにより、電子ビューファインダとして機能する。
【００３５】
表示部２６に上記スルー画像が表示されている状態で、静止画撮影を行いたいタイミングでシャッタキーを操作すると、トリガ信号を発生する。
【００３６】
制御部２２は、このトリガ信号に応じてその時点でＣＣＤ１３から取り込んでいる１画面分の輝度及び色差信号のＤＲＡＭ２１へのＤＭＡ転送を取り止め、あらためて適正な露出条件に従った絞り値及びシャッタ速度でＣＣＤ１３を走査駆動して１画面分の起動及び色差信号を得てＤＲＡＭ２１へ転送し、その後にこの経路を停止し、記録保存の状態に遷移する。
【００３７】
この記録保存の状態では、制御部２２がＤＲＡＭ２１に書き込まれている１フレーム分の輝度及び色差信号をＤＲＡＭインタフェース２０を介してＹ，Ｃｂ，Ｃｒのコンポーネント毎に縦８画素×横８画素の基本ブロックと呼称される単位で読み出して画像処理部２７に書き込み、この画像処理部２７でＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）規格に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３８】
そして、得た符号データを１画像のデータファイルとして該画像処理部２７から読み出し、このデジタルカメラ１の記録媒体として着脱自在に装着されるメモリカード２８に書き込む。
【００３９】
また、制御部２２は、１フレーム分の輝度及び色差信号の圧縮処理及びメモリカード２８への全圧縮データの書き込み終了に伴い、ＣＣＤ１３からＤＲＡＭ２１への経路を再び起動する。
【００４０】
また、制御部２２には、キー入力部２９、音声処理部３０、及びストロボ駆動部３１が接続されている。
【００４１】
キー入力部２９は、電源キー、シャッタキーや、モードスイッチ、メニューキー、十字キー及びセットキー等から構成され、それらのキー操作に伴う信号は直接制御部２２へ送出される。上記十字キーは、表示部２６に必要に応じて表示される各種の設定画面や、操作画面において上下左右の各方向の指示に使用されるキーであり、後述する検索表示モードにおいても使用される。
【００４２】
音声処理部３０は、ＰＣＭ音源等の音源回路を備え、音声の録音時にはマイクロホン部（ＭＩＣ）３２より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード２８へ送出する一方、音声の再生時にはメモリカード２８から送られてきた音声データファイルの圧縮を解いてアナログ化し、上述したデジタルカメラ１の本体背面側に設けられるスピーカ部（ＳＰ）３３を駆動して、拡声放音させる。
【００４３】
ストロボ駆動部３１は、静止画像撮影時に図示しないストロボ用の大容量コンデンサを充電した上で、制御部２２からの制御に基づいてストロボ発光部３４を閃光駆動する。
【００４４】
また、動画像の撮影時においては、１回目のシャッタキーが操作された時点で、上述した静止画データを画像処理部２７でデータ圧縮した静止画データファイルのメモリカード２８への記録を開始して、以後所定のフレームレート、例えば３０［フレーム／秒］でこれを連続して実行し、２回目にシャッタキーが操作されるか、または所定の制限時間、例えば３０秒が経過した時点でそれら一連の静止画データファイルを一括してモーションＪＰＥＧのデータファイル（ＡＶＩファイル）として設定し直す。
【００４５】
また、基本モードである再生モード時には、制御部２２がメモリカード２８に記録されている画像データを選択的に読み出し、画像処理部２７で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読み出してビデオ信号を発生し、上記表示部２６で再生出力させる。
【００４６】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００４７】
次に、以上の構成からなる第１の実施形態における本発明に係る動作について説明する。図２及び図３は、デジタルカメラ１において、ユーザーにより再生モードの下位モードである検索表示モードが設定されているときの制御部２２の処理手順を示したフローチャートである。検索表示モードは、主として前述した高速連写機能により撮影された連写画像（連続画像）の中から所望の画像を探す場合を想定し設けられている動作モードであるが、単写画像の中から所望の画像を探すのに用いても良い。
【００４８】
以下説明すると、図２に示したようにも検索表示モードにおいて制御部２２は、検索表示モードが実行されると、まずユーザーが撮影した複数の一連の連写画像や単写画像などの撮影時順に並べて記憶されている複数の保存画像の中から、所望の画像群（例えば一連の連写画像、つまり複数コマの静止画像）を選択すると、この所望の画像群（例えば一連の連写画像、つまり複数コマの静止画像）に対する表示画像の抽出範囲と、その抽出範囲内における表示画像の抽出位置とを初期化する（ステップＳＡ１）。係る初期化に際しては、前記抽出範囲（コマ範囲）として連写画像の先頭コマから最終コマまでの（全コマ範囲）を設定し、かつ抽出位置として先頭コマを設定する。この時、コマを並べる順番は、撮影を行なった順番であるとするが、状況によってはその逆でも良いし、撮影順ではない項目、例えば撮影画像サイズ順に区分して、その各区分中で、撮影順に画像を並べるように構成しても良い。また、ここでは所定の一連の連写画像より抽出範囲を選択するように構成したが、このようでなくとも構わず、例えば連写ではなく単写で一枚一枚撮影した画像を撮影順に並べたものから抽出範囲を選択するものであっても良いし、又はその逆に並べたものから選択するものであっても良い。
【００４９】
次に、上記連写画像から、上記の抽出範囲を対象として、コマ間隔（撮影時間間隔）が等間隔となる３コマの画像を抽出し、より具体的には該当する３コマの画像の静止画データをメモリカード２８から読み出し、その３コマの画像を表示部２６の画面上に撮影順に並べてサムネイル表示する（ステップＳＡ２）。本実施形態では、上記３コマの画像が本発明における規定数の抽出画像である。
【００５０】
なお、３コマの画像は前述した連写画像の先頭コマと最終コマとを含むものであり、それらの抽出に際しては、連写画像の総コマ数に基づき中間に位置する画像のコマ位置が演算される。その際、完全に同一のコマ間隔が確保できないときには、先頭コマから所定間隔毎にコマ位置を抽出して設定するようにしても良いし、中間に位置する画像のコマ位置を適宜調整しても良い。
【００５１】
さらに、同一画面上に、上記３コマの画像の連写画像内におけるコマ位置を示す位置表示バーを表示させる（ステップＳＡ３）。
【００５２】
図４は、上記ステップＳＡ２，ＳＡ３による表示される表示画面、すなわち検索画面Ｇ１の例を示した図であって、連写画像の全コマ数が２０コマである場合の例である。なお、以下の説明においては、これを前提として説明を進める。
【００５３】
そして、図示したように、上記ステップＳＡ２においては先頭画像１０１と、最終画像１０３と、中間に位置する画像１０２とを抽出し、それらを横方向に並べて表示する。なお、図中の「Ｎｏ．０」、「Ｎｏ．１０」、「Ｎｏ．２０」は、上記各画像（以下、表示画像という。）のコマ番号、つまり連写画像内でのコマ位置である。また、ステップＳＡ２では、表示画像１０１，１０２，１０３のうちの任意の１画像又は２画像を選択するための選択カーソル２０１も表示させる。なお、処理開始当初の選択カーソル２０１は、図４に示したように、コマ番号が最も若い左端の表示画像１０１を選択した状態にある。
【００５４】
また、前述した位置表示バー１０４は、前記３コマの表示画像１０１，１０２，１０３の上方側にて延在するスケールバー１０４ａと、その延在域を全コマ範囲として表示画像１０１，１０２，１０３のコマ位置を示す３つのポインタ１０４ｂとから構成される。
【００５５】
引き続き、上述した検索画面Ｇ１を表示した後、制御部２２はユーザーによる前述した十字キーの操作内容に応じて、以下の処理を行う。
【００５６】
まず、左右いずれかの方向の指示操作があった場合には（ステップＳＡ４でＹＥＳ）、処理開始当初のように、その時点で任意の画像を拡大表示しておらず、かつ選択カーソル２０１が指示方向の端に位置していなければ（ステップＳＡ５，ＳＡ７が共にＮＯ）、前述した選択カーソル２０１を画像選択状態から範囲選択状態、逆に範囲選択状態から画像選択状態に変更したうえで指示された方向へ移動する（ステップＳＡ８）。
【００５７】
すなわち本実施形態では、前記選択カーソル２０１を、図５に示したように、表示画像１０１，１０２，１０３のうちの任意の１画像を囲む画像選択状態（同図の（ａ）、（ｃ）、（ｅ）に示した状態）と、任意の２画像を囲む範囲選択状態（同図の（ｂ）、（ｄ）に示した状態）とに交互に変化させながら移動する。つまり左右いずれかの方向を指示するだけで、ユーザーが任意の１画像を選択する画像選択操作と、任意の隣接する２画像を選択する範囲選択操作とを行うことができるようになっている。
【００５８】
そして、ステップＳＡ８で選択カーソル２０１を移動した後には、いったんステップＳＡ４へ戻る。
【００５９】
また、前述したステップＳＡ７の判別結果がＹＥＳであって、その時点で選択カーソル２０１が例えば図５（ａ）、（ｂ）に示したように指示方向の端にあるときには、いったん、連写画像に対する抽出範囲における指示方向側の端画像（処理開始当初では１コマ目、若しくは２０コマ目）を検索画面Ｇ１に表示しているか否かを判別する（ステップＳＡ９）。そして、処理開始当初のように上記の端画像を表示しているときには（ステップＳＡ９でＹＥＳ）、そのまま前述したステップＳＡ４へ戻る。この場合、例えば図５（ａ）、（ｂ）の状態が維持される。
【００６０】
一方、前述したステップＳＡ４の判別結果がＮＯであり、左右方向の指示操作がなければ、引き続き下方向や上方向の指示操作の有無を確認し、いずれの操作もなければ（ステップＳＡ１１，ＳＡ１５が共にＮＯ）、そのまま前述したステップＳＡ４へ戻る。
【００６１】
また、下方向の指示操作があった場合には（ステップＳＡ１１がＹＥＳ）、その時点において選択カーソル２０１が２画像選択状態であるか否かを判別し、２画像選択状態であれば（ステップＳＡ１２でＹＥＳ）、表示画像の抽出範囲を選択中の２つの表示画像の各々のコマ位置を両端とするコマ範囲に変更した後（ステップＳＡ１３）、前述したステップＳＡ２へ戻る。
【００６２】
そして、ステップＳＡ２においては、変更後の抽出範囲、つまりそれ以前よりも狭い抽出範囲から新たにコマ間隔が等間隔となる３コマの画像を抽出し、それらを撮影順に並べてサムネイル表示するとともに、それに応じて位置表示バー１０４のポインタ１０４ｂの位置を修正する。これにより、それまでの検索画面Ｇ１を、コマ間隔がそれ以前より狭い新たな３つの表示画像１０１，１０２，１０３が並んだ下層の検索画面Ｇ１に更新する。
【００６３】
図６は、任意の時点における検索画面Ｇ１の表示内容の例を示した図であり、同図で（ａ）〜（ｃ）が処理開始当初における１層目の検索画面Ｇ１、（ｄ）〜（ｆ）が２層目の検索画面Ｇ１、（ｄ）〜（ｆ）が３層目の検索画面Ｇ１である。つまり、ユーザーは、選択カーソル２０１を任意の２画像を囲んだ範囲選択状態として下方向の指示操作を行うことにより、検索画面Ｇ１を例えば（ａ）、（ｄ）、（ｇ）の順に検索画面Ｇ１を変化させることができる。
【００６４】
また、前述した処理を繰り返す間に、左右いずれかの方向の指示操作があった時点において、選択カーソル２０１が指示方向の端に位置している状態で（ステップＳＡ７でＹＥＳ）、検索画面Ｇ１に、連写画像に対する抽出範囲における指示方向側の端画像が表示されていなかった場合には（ステップＳＡ９でＮＯ）、前述した表示画像の抽出位置を現在の表示画像１０１，１０２，１０３のコマ間隔分だけ指示方向へ移動（設定変更）した後（ステップＳＡ１０）、前述したステップＳＡ２へ戻る。
【００６５】
そして、ステップＳＡ２においては、移動後の抽出位置から新たにコマ間隔が等間隔となる３コマの画像、つまりコマ位置が上記コマ間隔分だけ１つずれた画像を抽出し、それらを撮影順に並べてサムネイル表示するとともに、それに応じて位置表示バー１０４のポインタ１０４ｂの位置を修正する。つまり、同一階層の検索画面Ｇ１においてコマ間隔を維持したままで表示画像１０１，１０２，１０３をスクロールさせる。
【００６６】
例えば２層目の検索画面Ｇ１の表示中に、図６（ａ）の状態でコマ番号「１０」の表示画像１０３が選択されていた場合には、表示画像１０１，１０２，１０３を同図（ｅ）の状態にスクロールさせ、また、３層目の検索画面Ｇ１の表示中に、図６（ｇ）の状態でコマ番号「１０」の表示画像１０３が選択されていた場合には、表示画像１０１，１０２，１０３を同図（ｈ）の状態にスクロールさせる。なお、図６において（ｅ）は、同図（ｄ）の状態で右方向の指示操作が２回あったときの状態、同図（ｈ）は、同図（ｇ）の状態で右方向の指示操作が４回あったときの状態である。
【００６７】
一方、下方向の指示操作があった時点で選択カーソル２０１が１画像を囲んだ画像選択状態にあるときには（ステップＳＡ１２でＮＯ）、選択カーソル２０１によって選択されている表示画像を拡大表示する（ステップＳＡ１４）。なお、その際には、前述した位置表示バー１０４も同時に表示させる。すなわち、表示部２６に前述した図７同図（ａ）に示したように１層目の検索画面Ｇ１が表示されていたときには、同図（ｂ）のような画像拡大画面Ｇ２を表示させる。
【００６８】
そして、係る画像拡大画面Ｇ２の表示中に左右いずれかの方向の指示操作があった場合には（ステップＳＡ４，ＳＡ５が共にＹＥＳ）、その指示方向に応じて拡大表示する画像を、コマ位置が前の画像に変更したり、コマ位置が後の画像に変更したりする（ステップＳＡ６）。すなわち、図７（ｂ）の画像拡大画面Ｇ２を表示しているときには、その中の拡大表示画像３０１を同図（ｃ）や同図（ｄ）に示したように切り替える。つまり前後いずれかの方向にコマ送りする。なお、フローチャートには示さないが、拡大表示画像３０１が前述した抽出位置における指示方向側の端のコマ位置（ここでは、１コマ目か２０コマ目）の画像である場合については、ステップＳＡ１４の処理はスキップして、そのままステップＳＡ４へ戻る。
【００６９】
さらに、前述したステップＳＡ１５の判別結果がＹＥＳであって、上方向の指示操作があったときには（ステップＳＡ１５でＹＥＳ）、その時点でいずれかの画像を拡大表示している、つまり画像拡大画面Ｇ２を表示している場合には（ステップＳＡ１６でＹＥＳ）、ステップＳＡ３へ戻り、その時点で設定されている抽出範囲、及び抽出位置に従い検索画面Ｇ１を表示する。つまり、直前に表示していたいずれかの階層の検索画面Ｇ１を表示する。
【００７０】
また、画像拡大画面Ｇ２を表示していない場合、つまりいずれかの階層の検索画面Ｇ１を表示している場合には（ステップＳＡ１６でＮＯ）、表示画像の抽出範囲、抽出位置を、１段階上層の検索画面Ｇ１で使用した値に変更した後（ステップＳＡ１７）、ステップＳＡ３へ戻る。これにより、上層の検索画面Ｇ１を表示する。なお、１段階上層の検索画面Ｇ１で使用した抽出範囲、抽出位置については、例えば検索画面Ｇ１を１層目から２層目に切り替えた時点、及び２層目から３層目に切り替えた時点において予め記憶しておくようにする。
【００７１】
以上のように、前記検索表示モードでは、連写画像の中から所望する画像を探すとき、検索画面Ｇ１における検索階層を１層目（図６（ａ）〜（ｃ））から２層目（図６（ｄ）〜（ｆ））、さらに３層目（図６（ｇ）〜（ｉ））と言ったように、順次下層側へ切り替えることにより、表示画像１０１，１０２，１０３のコマ間隔を狭くすることができる。同時に、各階層の検索画面Ｇ１において、次の階層（下層）での表示画像１０１，１０２，１０３を抽出するコマ範囲を選択することができる。したがって、所望する画像が位置する範囲を段階的に絞ることにより、その画像を効率的に探し出すことができる。
【００７２】
また、検索画面Ｇ１において、必要に応じて検索階層を１段階毎に上層へ切り替えることもできるため、それによっても、所望する画像をより効率的に探し出すことができる。
【００７３】
また、検索階層に関係なく、必要に応じて任意の表示画像１０１，１０２，１０３の拡大画像を表示させる、つまり画像拡大画面Ｇ２を表示させることができる。そのため、各階層の検索画面Ｇ１においてコマ範囲を選択するときには、表示画像の詳細を確認して上で、より適切なコマ範囲を選択することができる。したがって、所望する画像をより効率的に探し出すことができる。
【００７４】
また、画像拡大画面Ｇ２においては、拡大表示させた表示画像を必要に応じてコマ送りで変更できるため、それによっても、所望する画像をより効率的に探し出すことができる。
【００７５】
ここで、以上の説明においては、ステップＳＡ１において当初設定する表示画像の抽出範囲を連写画像の全コマ範囲としたが、必ずしも全コマ範囲としなくともよい。また、当初の抽出範囲を、ユーザーが手動で任意に又は選択的に設定できる構成としてもよい。なお、全コマ範囲でない場合には、処理開始当初に表示される検索画面Ｇ１においても、表示画像１０１，１０２，１０３がスクロール可能となる。また、その場合には、上層側への検索階層の切り替えを、抽出範囲が全コマ範囲となるまで可能な構成としてもよい。
【００７６】
また、画像拡大画面Ｇ２においては、選択カーソル２０１を、左右方向の指示操作に応じて、画像選択状態と範囲選択状態とに交互に変化させながら移動させるようにしたが（図５）、これに限らず、所定のキー操作に応じて選択カーソル２０１を画像選択状態と範囲選択状態とに切り替え可能としておき、左右方向の指示操作があったときには、いずれかの状態のままで移動させるだけの構成としてもよい。
【００７７】
また、画像拡大画面Ｇ２でサムネイル表示させる画像を３コマ分としたが、それ以上のコマ数の画像を表示させてもよい。また、その場合における各画像の表示形態は、撮影順が分かれば任意で構わない。さらに、その場合には、所定のキー操作で、隣接していない一組の画像を選択可能とし、かつそれらのコマ位置を両端とするコマ範囲を抽出範囲として下層側への検索階層の切り替えを可能としてもよい。
【００７８】
また、検索画面Ｇ１や画像拡大画面Ｇ２における位置表示バー１０４の表示は任意であり、いずれか一方のみに表示させたり、その表示を廃止したりしても構わない。
【００７９】
（実施形態２）
次に、本発明の第２の実施形態について説明する。本実施形態は、図１示したデジタルカメラ１に、制御部２２が後述する処理を行うことにより、第１の実施形態と異なる図９に示したような検索画面Ｇ１１を表示させる検索表示モードが設けられ、制御部２２のＣＰＵが本発明の第１の抽出手段、第２の抽出手段、第１〜第４の表示制御手段として機能するものである、
【００８０】
図８は、本実施形態において検索表示モードが設定されているときの制御部２２の処理手順を示したフローチャートである。
【００８１】
以下説明すると、検索表示モードにおいて制御部２２は、まずユーザーにより予め選択されている連写画像（複数コマの静止画像）から、同一のコマ間隔（撮影時間間隔）を有する５コマの画像（以下、インデックス画像という。）を抽出する。より具体的には該当する５コマのインデックス画像の静止画データをメモリカード２８から読み出す（ステップＳＢ１）。本実施形態では、上記５コマのインデックス画像が本発明における規定数の抽出画像である。
【００８２】
なお、５コマのインデックス画像には連写画像の先頭コマと最終コマの画像が含まれる。また、各インデックス画像の間に、完全に同一のコマ間隔が確保できないときには、１又は複数部分のコマ間隔を適宜調整する。
【００８３】
しかる後、図９（ａ）に示したように、抽出した５コマのインデックス画像４０１〜４０５を、表示部２６の画面上辺に沿って撮影順に横方向に並べてサムネイル表示させる（ステップＳＢ２）。
【００８４】
引き続き、各インデックス画像４０１〜４０５における表示位置が１番目と２番目の画像の間における連続した４コマの画像（以下、詳細画像という。）を抽出し（ステップＳＢ３）、抽出した４コマの詳細画像５０１〜５０４を、表示部２６の画面左辺側に位置する１番目のインデックス画像４０１の下に、撮影順に縦方向に並べてサムネイル表示させる（ステップＳＢ４）。
【００８５】
さらに、１番目のインデックス画像４０１の拡大画像４０１ａを、上辺がインデックス画像４０１〜４０５に接し、また左辺が詳細画像５０１〜５０４に接して表示し、かつインデックス画像４０１〜４０５の上辺側に、連写画像内における１番目のインデックス画像４０１（拡大画像４０１ａ）のコマ位置を示す位置表示バー１０４を表示する（ステップＳＢ５）。すなわち、本実施形態の位置表示バー１０４は、第１の実施形態の場合と異なり、スケールバー１０４ａと、１番目のインデックス画像４０１のコマ位置を示す単一のポインタ１０４ｂのみから構成される。
【００８６】
図９（ａ）は、以上の処理により表示される表示画面、すなわち検索画面Ｇ１１の例を示した図であって、連写画像の全コマ数が２０コマである場合の例である。なお、以下の説明においては、これを前提として説明を進める。また、図中の「Ｎｏ．０」〜「Ｎｏ．５」、「Ｎｏ．１０」、「Ｎｏ．１５」、「Ｎｏ．２０」は、各インデックス画像４０１〜４０５と書く詳細画像５０１〜５０５のコマ番号、つまり連写画像内でのコマ位置である。
【００８７】
引き続き、上述した検索画面Ｇ１１を表示した後、制御部２２はユーザーによる前述した十字キーの操作待ちを行うとともに、その操作内容に応じて以下の処理を行う。
【００８８】
まず、左右いずれかの方向の指示操作があった場合には（ステップＳＢ６でＹＥＳ）、各インデックス画像４０１〜４０５の表示位置を指示方向に向け循環方式で１画像分移動させる（ステップＳＢ７）。例えば左方向の指示があった場合には、図９（ｂ）に示したように、同図（ａ）における２番目〜５番目のインデックス画像４０２〜４０５の画像を１番目〜４番目の位置に移動させ、かつ１番目のインデックス画像４０１の画像を５番目の位置に移動させる。
【００８９】
しかる後、ステップＳＢ５へ戻り、前記拡大画像４０１ａを、新たに１番目のインデックス画像４０１となったコマ番号の画像の拡大画像に更新する。上記例では拡大画像４０１ａとして、コマ番号が「Ｎｏ．５」の画像の拡大画像を表示させる。同時に、それと対応して位置表示バー１０４のポインタ１０４ｂを移動させる。
【００９０】
また、上下いずれかの方向の指示操作があった場合には（ステップＳＢ８でＹＥＳ）、１番目のインデックス画像４０１と各詳細画像５０１〜５０５とを、指示方向に循環方式で１画像分移動させる（ステップＳＢ９）。例えば上方向の指示があった場合には、図９（ｃ）に示したように、同図（ａ）における１番目の詳細画像５０１の画像を１番目のインデックス画像４０１の位置へ移動させ、同時に２番目〜４番目の詳細画像５０２〜５０４の画像を１番目〜３番目に移動させるとともに、１番目のインデックス画像４０１の画像を、４番目の詳細画像５０４の位置に移動させる。
【００９１】
しかる後、ステップＳＢ５へ戻り、前記拡大画像４０１ａを、新たに１番目のインデックス画像４０１となったコマ番号の画像の拡大画像に更新する。上記例では拡大画像４０１ａとして、コマ番号が「Ｎｏ．１」の画像の拡大画像を表示させる。同時に、それと対応して位置表示バー１０４のポインタ１０４ｂを移動させる。これ以後、前述したＳＢ５〜ＳＢ９の処理を繰り返す。
【００９２】
以上のことから、本実施形態の検索表示モードでは前述した検索画面Ｇ１１を表示することにより、連写画像の中から所望する画像を探すときには、まず、コマ間隔が等しい（又は、ほぼ等しい）５コマのインデックス画像４０１〜４０５によって連写画像の概略的を確認することができる。次に、任意のインデックス画像４０１〜４０５を代表とする所定のコマ範囲を左右方向の指示操作により選択し、選択中のコマ範囲の全ての画像を４コマの詳細画像５０１〜５０４によって確認することができる。そして、選択中のコマ範囲の各々の画像を上下方向の指示操作によって順に選択すれば、各々の画像の拡大画像４０１ａにより選択中の画像の詳細を確認することができる。したがって、所望する画像を効率的に探し出すことができる。
【００９３】
なお、本実施形態においては、当初インデックス画像４０１〜４０５として表示する５コマの画像を、連写画像の先頭コマと最終コマが含まれる同一のコマ間隔（撮影時間間隔）を有する画像とした、つまり抽出範囲を連写画像の全コマ範囲としたが、必ずしも全コマ範囲としなくともよい。すなわち、第１の実施形態で述べたように、当初の抽出範囲を、ユーザーが手動で任意に又は選択的に設定できる構成としてもよい。
【００９４】
（実施形態３）
次に、本発明の第３の実施形態について説明する。本実施形態は、図１示したデジタルカメラ１に、ユーザーが、第１の実施形態で説明した検索画面Ｇ１、つまりサムネイルが横方向に並ぶ横方向の検索画像Ｇ１（図４参照）と、第２の実施形態で説明した検索画面Ｇ１１、つまりサムネイルが縦横方向に並ぶ縦横方向の検索画像Ｇ１１（図９参照）とを切り替えることができる検索表示モードが設けられたものである。
【００９５】
図１０は、本実施形態において検索表示モードが設定されているときの制御部２２の処理手順を示したフローチャートである。
【００９６】
以下説明すると、検索表示モードにおいて制御部２２は、ユーザーにより予め選択されている連写画像を対象として、横方向の検索画像Ｇ１の表示を開始する。そして、横方向の検索画像Ｇ１の表示中には、第１の実施形態と同様の処理を行うことにより、ユーザーのキー操作に応じて前述した表示画像１０１，１０２，１０３を適宜更新する（ステップＳＣ１）。
【００９７】
また、その間に、ユーザーにより所定のキーによる画面切替操作があった場合には（ステップＳＣ２でＮＯ）、その時点における前述した表示画像１０１，１０２，１０３におけるコマ間隔、及びその抽出位置を引き継いだ状態で、縦横方向の検索画像Ｇ１１の表示を開始する。例えば図１１に示したように、同図（ａ）のような横方向の検索画像Ｇ１を表示している状態で画面切替操作があった場合には、選択カーソル２０１の位置に関係なく、それを同図（ｂ）のような縦方向の検索画像Ｇ１１に切り替える。
【００９８】
以後、縦横方向の検索画像Ｇ１１の表示中には、第２の実施形態と同様の処理を行うことにより、ユーザーのキー操作に応じて、インデックス画像４０１〜４０５、及び詳細画像５０１〜５０２を適宜更新する（ステップＳＣ３）。なお、その間においては、インデックス画像４０１〜４０５として表示すべき画像が５コマ以上存在する場合、例えば図１１の例のように７コマ存在する場合には、左右いずれかの方向の指示操作に応じて７コマ全ての画像を表示対象として循環方式でスクロール表示させる。
【００９９】
また、縦横方向の検索画像Ｇ１１の表示中に画面切替操作があった場合には（ステップＳＣ４でＹＥＳ）、ステップＳＣ１へ戻り、再び横方向の検索画像Ｇ１を表示させる。
【０１００】
一方、縦横方向の検索画像Ｇ１１の表示中に画像決定操作があったときには（ステップＳＣ５でＹＥＳ）、その時点における前述した拡大画像４０１ａを、図１１（ｃ）に示したように全画面表示させる（ステップＳＣ６）。以後、全画面表示の終了指示（例えば、画像決定操作と同一のキー操作）があるまで（ステップＳＣ７でＮＯ）、上記の全画面表示を継続して行い、終了指示があったら（ステップＳＣ７でＹＥＳ）、その時点でステップＳＣ３へ戻り、直前の状態の検索画面Ｇ１１を表示させる。以後、上述した処理を繰り返す。
【０１０１】
以上のように本実施形態によれば、第１の実施形態における検索画面Ｇ１と同様に、検索画面Ｇ１１にインデックス画像４０１〜４０５として表示する５コマの画像の抽出範囲（同時にコマ間隔）を、ユーザーが必要に応じ、所望のコマ位置方向に向かって段階的に絞ることができる。したがって、前述した第２の実施形態に比べると、連写画像の中から所望する画像を探すとき、それをより一層効率的に探し出すことができる。
【０１０２】
なお、本実施形態においては、横方向の検索画像Ｇ１を縦横方向の検索画像Ｇ１１に切り替えるとき、横方向の検索画像Ｇ１の表示画像１０１，１０２，１０３におけるコマ間隔、及びその抽出位置を引き継ぐようにしたが、コマ間隔のみを引き継ぐようにしてもよい。
【０１０３】
また、以上述べた第１〜第３の実施形態においては、前述した検索画面Ｇ１，１１に、そこにサムネイル表示している表示画像１０１，１０２，１０３（図４）や、拡大画像４０１ａ（図９）、インデックス画像４０１〜４０５（図１１）の連写画像におけるコマ位置を示す位置表示バー１０４を表示させたが、それに代えて、例えば図１２（ａ）に示した位置表示バー６０１や、同図（ｂ）に示した位置表示バー６０２を表示させてもよい。
【０１０４】
すなわち図１２は位置表示バーの変形例を示した図であって、同図（ａ）の位置表示バー６０１は、スケールバー１０４ａを太くし、その内部に、前述したポインタ１０４ｂに加え、連写画像におけるボリュームの変化や、前のコマの画像との相関関係（明るさや、動きの違い等）の強度の変化を示す折れ線グラフ６０１ａを配置した構成である。
【０１０５】
係る位置表示バー６０１を用いれば、上記ポインタ１０４ｂによる時間軸に関する情報以外にも、連写画像における一連の画像の撮影環境の変化や、一連の画像それ自体の変化といった参考情報をユーザーに提供することができる。したがって、ユーザーが前述した検索画面Ｇ１，１１によって検索対象とすべきコマ範囲を選択する際の利便性を向上させることができる。
【０１０６】
また、図１２（ｂ）の位置表示バー６０２は、スケールバー１０４ａの内部に、上述した折れ線グラフ６０１ａに加えて、ボリュームや相関関係の強度の閾値を示す補助線６０１ｂをさらに設けるとともに、閾値を超えた部分、つまり連写画像における特異点に相当するコマ位置（又はコマ範囲）Ａを黒塗りによって示した構成である。係る位置表示バー６０２を用いた場合には、前記位置表示バー６０１を用いる場合に比べると、ユーザーが前述した検索画面Ｇ１，１１によって検索対象とすべきコマ範囲を選択する際の利便性を、より一層向上させることができる。
【０１０７】
なお、図１２には、前述した折れ線グラフ６０１ａや補助線６０１ｂを、スケールバー１０４ａの内部にポインタ１０４ｂと共に表示させる位置表示バー６０１，６０２を示したが、折れ線グラフ６０１ａや補助線６０１ｂは、第１〜第３の実施形態で示した位置表示バー１０４の上下に並べて表示させても構わない。
【０１０８】
また、以上述べた第１〜第３の実施形態においては、検索表示モードが、主として前述した高速連写機能により撮影された連写画像（連続画像）の中から所望の画像を探す場合を想定し設けられている動作モードであり、ユーザーが連写画像から所望とする画像を検索する場合について説明したが、前述した検索表示モードは、連写画像以外にも動画像から所望の画像を探す場合においても用いることができる。そして、その場合であっても、ユーザーは、検索表示モードを使用することにより所望する画像を効率的に探し出すことができる。
【０１０９】
また、ここでは本発明をデジタルカメラ、特に高速連写機能を有するデジタルカメラに適用する場合について説明したが、これに限らず本発明は、撮影により取得された画像を表示する機能を有するものであれば、撮影機能を備えたＰＤＡやデジタルビデオカメラやカメラ付き携帯電話装置、さらには撮影機能を有していない一般的な構成を備えたパーソナルコンピュータ等の他の装置にも適用することができる。
【符号の説明】
【０１１０】
１    デジタルカメラ
１２    レンズ光学系
１３    ＣＣＤ
２２    制御部
２６    表示部
２７    画像処理部
２８    メモリカード
２９    キー入力部
１０１〜１０３    表示画像
１０４    位置表示バー
１０４ａ    スケールバー
１０４ｂ    ポインタ
２０１    選択カーソル
３０１    拡大表示画像
４０１〜４０５    インデックス画像
４０１ａ    拡大画像
５０１〜５０２    詳細画像
６０１    位置表示バー
６０１ａ    線グラフ
６０１ｂ    補助線
６０２    位置表示バー
【図１】
0005464231.tif 000002
【図２】
0005464231.tif 000003
【図３】
0005464231.tif 000004
【図４】
0005464231.tif 000005
【図５】
0005464231.tif 000006
【図６】
0005464231.tif 000007
【図７】
0005464231.tif 000008
【図８】
0005464231.tif 000009
【図９】
0005464231.tif 000010
【図１０】
0005464231.tif 000011
【図１１】
0005464231.tif 000012
【図１２】
0005464231.tif 000013